(57)【要約】【課題】タッチパネルによる表示部の操作時に使用者が誤ってタッチパネルの表示部外に配置されたキー部に触れて誤操作してしまうことを低減する。【解決手段】携帯端末は、表示部と、表示部およびその表示部を延長させた表示部外の部分に配置され、表示部およびその表示部外の部分に対して使用者が触れた位置を検出するタッチパネルと、タッチパネルの表示部外の部分に配置され、タッチパネルを介してキー押下の検出が可能なキー部と、タッチパネルを介して表示部のキー部に近接する部分に設定された検出エリアに使用者が触れたことを検出した場合に、キー部に使用者が触れたことを検出しても当該キー部のキー押下として処理しないように制御する制御部とを含む。【選択図】図２
2012248068.tif 000002
【特許請求の範囲】
【請求項１】
表示部と、
前記表示部およびその表示部を延長させた表示部外の部分に配置され、前記表示部およびその表示部外の部分に対して使用者が触れた位置を検出するタッチパネルと、
前記タッチパネルの前記表示部外の部分に配置され、前記タッチパネルを介してキー押下の検出が可能なキー部と、
前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部とを有することを特徴とする携帯端末。
【請求項２】
前記制御部は、前記検出エリアに使用者が触れたことを検出した場合に、一定時間が経過するか、又は前記タッチパネルから使用者の触れている部分が離されるまで、前記キー部のキー押下の検出を当該キー押下として処理しないように制御することを特徴とする請求項１に記載の携帯端末。
【請求項３】
前記制御部は、前記キー部に使用者が触れたことを検出した場合、一定時間、当該キー部のキー押下として処理しないようにし、前記一定時間内に前記検出エリア又は前記境界エリアに使用者が触れたことを検出したときに前記キー部のキー押下処理を行わないように制御することを特徴とする請求項１又は２に記載の携帯端末。
【請求項４】
前記キー部には、複数のキーが配置され、
前記検出エリアおよび前記境界エリアには、前記複数のキーに応じて複数の検出エリアおよび複数の境界エリアが割り当てられ、
前記制御部は、前記タッチパネルを介して前記複数の検出エリアのいずれかに使用者が触れたことを検出した場合、使用者が触れた前記複数の検出エリアのいずれかに応じた前記複数のキーのいずれかのキー押下の検出を当該キー押下として処理しないように制御することを特徴とする請求項１から３のいずれかに記載の携帯端末。
【請求項５】
前記制御部は、前記複数の検出エリアのいずれかに使用者が触れたことを検出した場合に、一定時間が経過するか、又は前記タッチパネルから使用者の触れている部分が離されるまで、使用者が触れた前記複数の検出エリアのいずれかに応じた前記複数のキーのいずれかのキー押下処理を停止するように制御することを特徴とする請求項４に記載の携帯端末。
【請求項６】
前記制御部は、前記複数のキーのいずれかに使用者が触れたことを検出した場合、当該複数のキーのいずれかのキー押下として処理しないようにし、前記一定時間内に前記複数のキーのいずれかに応じた前記複数の検出エリアのいずれか又は前記複数の境界エリアのいずれかに使用者が触れたことを検出したときに前記キー部のキー押下処理を行わないように制御することを特徴とする請求項４又は５に記載の携帯端末。
【請求項７】
前記検出エリアは、前記タッチパネル上で使用者が触れている位置をスライドさせたときに、前記タッチパネルの検出信号を前記制御部に通知する間隔で所定の回数通知可能な範囲に設定されることを特徴とする請求項１から６のいずれかに記載の携帯端末。
【請求項８】
前記表示部と前記キー部とが直接接し、前記検出エリアと前記キー部とが直接接していることを特徴とする請求項１に記載の携帯端末。
【請求項９】
表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、
制御部が、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御することを特徴とする携帯端末のキー操作制御方法。
【請求項１０】
表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、
コンピュータを、
前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部として機能させることを特徴とする携帯端末のキー操作制御プログラム。
【発明の詳細な説明】
【技術分野】
【０００１】
本発明は、携帯端末、そのキー操作制御方法およびプログラムに関し、特にタッチパネル上の表示部外に位置する部分にキー部を配置した携帯端末、そのキー操作制御方法およびプログラムに関する。
【背景技術】
【０００２】
近年、携帯電話やＰＨＳ（Personal Handyphone System）などの携帯端末では、タッチパネルを有するものが増大している。このうち、表示部の上および表示部外の部分にタッチパネルを配置し、タッチパネル上の表示部外の部分にキー部を配置したものが知られている。その一例を図９に示す。
【０００３】
図９は、関連技術の携帯端末で用いるタッチパネルの構成を示す。図９に示すタッチパネル１は、表示部２の上および表示部２を延長させた表示部２外の部分に配置される。このタッチパネル１上の表示部２外の部分には、キー部３を構成するタッチキー３１（図中の例では３つのタッチキーＳ１、Ｓ２、Ｓ３）が配置されている。この構成において、タッチパネル１に指が触れた場合、タッチパネル１の触れた位置に対応する座標が非図示のＣＰＵ（Central Processing Unit）に対して一定間隔で通知され、使用者がタッチキーＳ１、Ｓ２、Ｓ３に触れた場合、キー押下として処理される。
【０００４】
この場合、使用者がタッチパネル１上を表示部２上の位置Ｐ１１から位置Ｐ１２の方向へキー部３側に向かって指をスライドさせたとき、誤って表示部２の外側部分に出て、キー部３のタッチキーＳ１の位置Ｐ１３に誤って触れた場合、タッチキーＳ１のキー押下として処理され、誤操作となってしまっていた。
【０００５】
このような誤操作を防止する工夫として、表示部２とタッチキーＳ１、Ｓ２、Ｓ３との間隔（図中のエリアＢ）を大きくするといった工夫が考えられるが、この場合は、装置が大きくなる欠点があった。
【０００６】
また、一定時間タッチキーＳ１、Ｓ２、Ｓ３に指が触れていることを検出するまでキー押下として処理しないといった工夫も考えられるが、この場合は、一定の効果は得られても誤操作をなくすのは困難であった。
【０００７】
また、指をタッチパネル１の表示部２上に置いていた場合、その指が離されるかまたは離されて一定時間経過するまでキー押下として処理しない方法も考えられるが、この場合は、例えば図中の表示部２の位置Ｐ３１に指を置いた状態で、他の指でキー部３のタッチキーＳ１の位置Ｐ１３やタッチキーＳ３の位置Ｐ２３に触れた場合、キー押下として処理されない欠点があった。
【０００８】
さらに、表示部２からタッチキーＳ１、Ｓ２、Ｓ３側に向かって指をスライドさせたことを検出して、その後のキー押下を制御する方法も考えられるが、この場合は、指をスライドしていることを検出する処理が大きくなってしまう欠点があった。また、この方法では、例えば表示部２上の位置Ｐ２１から位置Ｐ２２の方向へタッチキーＳ３側から離れるように指をスライドさせる場合、表示部２上の位置Ｐ２１に触れる前に、誤ってキー部３のタッチキーＳ３の位置Ｐ２３に触れた場合は、誤操作を防止することができなかった。
【０００９】
上記に関連して、タッチパネルの誤操作を防止する先行技術として、特許文献１には、タッチパネル上に禁止エリアを設定し、この禁止エリアに指が触れるなどの誤入力を行なわれた場合、アイコンの表示を消去し、その旨の警告表示をする画像表示装置が記載されている。これによれば、ユーザに対してその状況を認識させて誤操作等を未然防止可能とされている。
【００１０】
また、特許文献２には、表示部にタッチパネルを備えた情報処理装置において、表示部上の所定の領域へのタッチの継続時間を計時し、特定の領域へのタッチ状態からタッチアップ状態までのタッチの継続時間が所定時間に達していない場合は特定の領域に割り当てられた機能を実行し、所定時間に達していた場合は特定の領域に割り当てられた機能を実行しないよう制御するものが記載されている。これによれば、タッチパネル上でのタッチ操作部のレイアウトを制限することなく、タッチパネルへの誤操作をより確実に低減可能とされている。
【先行技術文献】
【特許文献】
【００１１】
【特許文献１】特開２００９−００９４２４号公報
【特許文献２】特開２０１１−０３９９９０号公報
【発明の概要】
【発明が解決しようとする課題】
【００１２】
特許文献１、２は、表示部上に表示されるアイコンや特定の領域に割り当てられた機能の誤操作防止を意図するものであり、図７に示すようにタッチパネル上の表示部外の部分に配置されるキー部を対象とし、表示部の操作時に使用者が誤ってその表示部外のキー部に触れて誤操作してしまう場合の誤操作防止を考慮したものではない。
【００１３】
本発明の目的は、上記課題を解決し、タッチパネルによる表示部の操作時に使用者が誤ってタッチパネルの表示部外に配置されたキー部に触れて誤操作してしまうことを低減することができる携帯端末、そのキー操作制御方法およびプログラムを提供することにある。
【課題を解決するための手段】
【００１４】
本発明の第１の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部と、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部とを有することを特徴とする携帯端末が提供される。
【００１５】
本発明の第２の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、制御部が、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御することを特徴とする携帯端末のキー操作制御方法が提供される。
【００１６】
本発明の第３の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、コンピュータを、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部として機能させることを特徴とする携帯端末のキー操作制御プログラムが提供される。
【発明の効果】
【００１７】
本発明によれば、タッチパネルによる表示部の操作時に使用者が誤ってタッチパネルの表示部外に配置されたキー部に触れて誤操作してしまうことを低減することができる。
【図面の簡単な説明】
【００１８】
【図１】本発明の第１の実施の形態に係る携帯端末を示す正面図である。
【図２】図１に示すタッチパネルの構成を示す図である。
【図３】図１に示す携帯端末の内部構成を示すブロック図である。
【図４】図１に示す携帯端末の動作を説明するフローチャートである。
【図５】図１に示す携帯端末の動作を説明するフローチャートである。
【図６】本発明の第２の実施の形態に係る携帯端末で用いるタッチパネルの構成を示す図である。
【図７】図６に示すタッチパネルを用いた携帯端末の動作を説明するフローチャートである。
【図８】図６に示すタッチパネルを用いた携帯端末の動作を説明するフローチャートである。
【図９】関連技術の携帯端末で用いるタッチパネルの構成を示す図である。
【発明を実施するための形態】
【００１９】
以下、本発明に係る携帯端末、そのキー操作制御方法およびプログラムの実施の形態について、図面を参照して詳細に説明する。
【００２０】
（第１の実施の形態）
図１は、本発明の第１の実施の形態に係る携帯端末を示す。同図に示すように、携帯端末１００は、例えば携帯電話機やＰＨＳ（Personal Handyphone System）などの携帯端末装置で構成され、使用者が携帯可能な所定形状（例えば矩形状）の本体を成す筐体１０１を有し、その筐体１０１の正面（前面）側に、タッチパネル１が配置されている。タッチパネル１は、使用者が指等でタッチした位置を検出可能なものであれば、例えば静電容量方式や抵抗膜方式等、いずれの方式によるものでも適用可能である。
【００２１】
図２は、タッチパネル１の構成を示す。同図に示すように、タッチパネル１は、液晶ディスプレイ等の表示部２の上および表示部２を延長させた表示部２外の部分に配置される。このタッチパネル１上の表示部２外の部分には、表示部２から所定間隔離れて、キー部３が配置されている（以下、キー部３と表示部２との間の境界に位置する部分をエリアＢ（境界エリア）と呼ぶ）。
【００２２】
キー部３には、複数のタッチキー３１（図中の例では３つのタッチキーＳ１、Ｓ２、Ｓ３）が配置されている。複数のタッチキー３１の一例として、メニュー画面を表示させるためのキー（「メニューキー」ともいう。）、１つ前の画面に戻るためのキー（「バックキー」ともいう。）、ホーム画面（最初の表示画面）に戻るためのキー（「ホームキー」ともいう。）等、画面操作で使用されるキーが例示される。図２の例では、例えば、左側のタッチキーＳ１がメニューキー、中央のタッチキーＳ２がホームキー、右側のタッチキーＳ３がバックキーとして機能するように設定してもよい。なお、図２の例では、タッチキー３１のキー数が３つの場合を例示しているが、キー数はこれに限定されず、１つでも２つでも４つ以上であってもよい。
【００２３】
タッチパネル１の表示部２上のエリアのうち、キー部３に近接する部分、すなわちエリアＢを挟んでキー部３と対向する側に、キー部３の誤操作防止用のエリアＡ（検出エリア）が予め設定されている。エリアＡは、使用者がタッチパネル１上で指をスライドさせたとき、タッチパネル１がＣＰＵ１１の通知する間隔で１回通知できる程度の範囲に設定すればよいが、本発明は必ずしもこれに限らず、例えば２回以上通知できる範囲に設定してもよい。
【００２４】
図３は、携帯端末１００の内部構成を示す。携帯端末１００は、図３に示すように、タッチパネル１、表示部２、キー部３のほか、制御部１０および無線通信部２０を含む。その他の構成要素については、説明の都合上省略している。
【００２５】
無線通信部２０は、アンテナ部を含む送受信回路を有し、基地局（非図示）との間で無線回線を経由して通信可能となっている。
【００２６】
制御部１０は、例えばマイクロコンピュータ（又はマイクロコントローラ）で構成され、プログラム制御で動作するＣＰＵ１１と、その制御プログラム等を格納するメモリ１２と、セットされた時間を計時するタイマ１３とを含み、ＣＰＵ１１がメモリ１２内の制御プログラムを実行することにより携帯端末１００内の各部動作を制御する。制御プログラムには、既知の携帯端末用の各種制御プログラムに加え、本実施の形態では、キー部３の誤操作防止用のキー操作制御プログラムも含まれる。
【００２７】
ＣＰＵ１１には、タッチパネル１に使用者の指が触れた場合、タッチパネル１の座標が一定間隔で通知され、使用者がタッチキーＳ１、Ｓ２、Ｓ３に触れた場合、キー押下として処理される。
【００２８】
本実施の形態では、ＣＰＵ１１は、タッチパネル１を介して表示部２上のエリアＡの座標のタッチを検出した場合、一定時間が経過するか、指がタッチパネル１から離されるまで、キー押下として処理しないように制御する。
【００２９】
また、ＣＰＵ１１は、タッチパネル１を介してタッチキーＳ１、Ｓ２、Ｓ３に指が触れたことを検出した場合、一定時間、キー押下として処理しないようにし、その一定時間内にエリアＢかエリアＡの座標のタッチを検出した場合、キー押下の処理を行わないように制御する。
【００３０】
次に、図４および図５を参照して、本実施の形態の動作について説明する。図４および図５のフローチャートに対応するキー操作制御プログラムは、例えば制御部１０内のメモリ１２に予め設定され、制御部１０内のＣＰＵ１１により実行される。
【００３１】
図４は、表示部２のキー部３近くのタッチを検出した場合の動作を説明するものである。
【００３２】
図４において、ＣＰＵ１１は、タッチパネル１を介して表示部２上のエリアＡのタッチを検出した場合（ステップＳ１１：ＹＥＳ）、タッチキーＳ１、Ｓ２、Ｓ３のキー押下処理を停止し（ステップＳ１２）、制御部１０内のタイマ１３に一定時間セットしてタイマを起動させ（ステップＳ１３）、指がタッチパネル１から離されたか否か判断する（ステップＳ１４）。
【００３３】
その結果、指がタッチパネル１から離されていないと判断された場合（ステップＳ１４：ＮＯ）、ＣＰＵ１１は、タイマ１３がセットされた一定時間を計時してタイムアウトしたか否か判断する（ステップＳ１５）。その結果、タイムアウトしていないと判断された場合（ステップＳ１５：ＮＯ）、ＣＰＵ１１は、ステップＳ１４に戻り、同様の処理を繰り返す。
【００３４】
一方、指がタッチパネル１から離されたと判断された場合（ステップＳ１４：ＹＥＳ）、あるいは、タイムアウトしたと判断された場合（ステップＳ１５：ＹＥＳ）、ＣＰＵ１１は、タッチキーＳ１、Ｓ２、Ｓ３のキー押下処理の停止を解除する（ステップＳ１６）。
【００３５】
これにより、図２に示すように、タッチパネル１上を表示部２上の位置Ｐ１１から位置Ｐ１２の方向へキー部３側に向かって指をスライドさせた場合、エリアＡのタッチが必ず検出される。そうすると、一定時間が経過するか、指がタッチパネル１から離されるまでは、タッチキーＳ１、Ｓ２、Ｓ３のキー押下処理が停止されるため、その一定時間内に、指が表示部２上の位置Ｐ１２を通過して表示部２外の部分に達し、タッチキーＳ１の位置Ｐ１３に誤って触れた場合でも、キー押下として処理されない。
【００３６】
また、図２に示すように、タッチパネル１の表示部２上のエリアＡ外の例えば位置Ｐ３１に他の指を置いていても、表示部２上のエリアＡのタッチが検出されない限り、タッチキーＳ１、Ｓ２、Ｓ３に触れた場合は、キー押下として処理される。
【００３７】
図５は、タッチキーＳ１、Ｓ２、Ｓ３のタッチを検出した場合の動作を説明するものである。
【００３８】
図５において、ＣＰＵ１１は、タッチパネル１を介してタッチキーＳ１、Ｓ２、Ｓ３に指が触れたことを検出した場合（ステップＳ２１：ＹＥＳ）、タッチされたタッチキーＳ１、Ｓ２、Ｓ３のキー押下として処理せず（ステップＳ２２）、制御部１０内のタイマ１３に一定時間セットしてタイマ１３を起動させ（ステップＳ２３）、エリアＡかエリアＢのタッチが検出されたか否か、および指がタッチパネル１から離されたか否か判断する（ステップＳ２４〜Ｓ２６）。
【００３９】
その結果、エリアＡかエリアＢのタッチが検出されず（ステップＳ２４：ＮＯ、ステップＳ２５：ＮＯ）、指がタッチパネル１から離されていない場合（ステップＳ２７：ＮＯ）、ＣＰＵ１１は、タイマ１３がセットされた一定時間を計時してタイムアウトしたか否か判断する（ステップＳ２７）。
【００４０】
その結果、タイムアウトしていないと判断された場合（ステップＳ２７：ＮＯ）、ＣＰＵ１１は、ステップＳ２４に戻り、同様の処理を繰り返す。一方、タイムアウトしたと判断された場合（ステップＳ２６：ＹＥＳ）、ＣＰＵ１１は、タッチされたタッチキーＳ１、Ｓ２、Ｓ３のキー押下として処理する（ステップＳ２８）。
【００４１】
一方、エリアＡかエリアＢのタッチが検出された場合（ステップＳ２４：ＹＥＳ、ステップＳ２５：ＹＥＳ）、ＣＰＵ１１は、タッチされたタッチキーＳ１、Ｓ２、Ｓ３のキー押下の処理を行わない（ステップＳ２９）。また、指がタッチパネル１から離された場合（ステップＳ２６：ＹＥＳ）、ＣＰＵ１１は、タッチされたタッチキーＳ１、Ｓ２、Ｓ３のキー押下として処理する（ステップＳ２８）。
【００４２】
これにより、図２に示すように、表示部２上の位置Ｐ２１から位置Ｐ２２の方向へキー部３側から離れる方向に指をスライドさせる場合、表示部２上の位置Ｐ２１に触れる前に、誤ってキー部３のタッチキーＳ３の位置Ｐ２３に触れたとしても、キー押下として処理されない。
【００４３】
従って、本実施の形態では、表示部２の上および表示部２を延長させた部分にタッチパネル１を配置して、その表示部２外に配置された部分をキー部３とする携帯端末１００において、使用者が誤ってキー部３に触れて誤操作してしまうことを防止することができる。
【００４４】
また、図２の表示部２上のエリアＡは、使用者がタッチパネル１上で指をスライドさせたとき、タッチパネル１がＣＰＵ１１の通知する間隔で１回通知できる程度でよいため、他の指がタッチパネル１に触れているためにタッチキーＳ１、Ｓ２、Ｓ３に触れてもキー押下と判定されないことがない。
【００４５】
また、本実施の形態では、エリアＡのタッチを検出するまでキーを禁止する制御を行わないので、通常のタッチの処理が単純になる。
【００４６】
また、本実施の形態では、キー部３の誤操作防止のために表示部２とタッチキーＳ１、Ｓ２、Ｓ３との間隔を大きくする必要もないため、その分、装置の大型化を抑制することができる。
【００４７】
また、本実施の形態では、キー部３の誤操作防止のために一定時間タッチキーＳ１、Ｓ２、Ｓ３に指が触れていることを検出するまでキー押下として処理しないといった工夫は必要がないため、これにより生じる誤操作も低減することができる。
【００４８】
さらに、本実施の形態では、キー部３の誤操作防止のために表示部２からタッチキーＳ１、Ｓ２、Ｓ３側に向かって指をスライドさせたことを検出して、その後のキー押下を制御する方法は必要がないため、指をスライドしていることを検出する処理が大きくなることを抑制できる。
【００４９】
なお、図４の例では、エリアＡのタッチを検出した場合の動作を説明しているが、エリアＢのタッチを検出した場合も同様に、一定時間、キー部３のキー押下処理を停止するよう制御してもよい。あるいは、エリアＡかエリアＢのタッチを検出した場合に、一定時間、キー部３のキー押下処理を停止するよう制御してもよい。
【００５０】
また、図５の例では、タイマに一定時間をセット後、タイムアウトするまでの間に、エリアＡかエリアＢのタッチを検出したか否か判断する処理（ステップＳ２４、Ｓ２５）に加え、指がタッチパネル１から離されたか否か判断する処理（ステップＳ２６）を説明しているが、ステップＳ２６の処理は省略してもよい。
【００５１】
（第２の実施の形態）
次に、本発明の第２の実施の形態について、図６を参照して説明する。
【００５２】
図６は、本実施の形態に係る携帯端末で用いるタッチパネル１の構成を示す。前述した第１の実施の形態では、表示部２上のエリアＡ（検出エリア）は、複数のタッチキーＳ１、Ｓ２、Ｓ３に共通して１つ設定されていたが、本実施の形態では、図６に示すように、複数（同図の例では３つ）のタッチキーＳ１、Ｓ２、Ｓ３に応じて複数のエリアＡ１、Ａ２、Ａ３（複数の検出エリア）が割り当てられている。また、これに合わせて表示部２とキー部３との間のエリアＢ（境界エリア）も、複数のエリアＢ１、Ｂ２、Ｂ３（複数の境界エリア）が割り当てられている。その他の構成については、第１の実施の形態と同じである。
【００５３】
この場合、ＣＰＵ１１は、キー部３１のタッチキーＳ１、Ｓ２、Ｓ３に応じた表示部２上のエリアＡ１、Ａ２、Ａ３として、エリアＡ１のタッチを検出したら、タッチキーＳ１のキー押下の検出を一定時間停止し、エリアＡ２のタッチを検出したら、タッチキーＳ２のキー押下の検出を一定時間停止し、エリアＡ３のタッチを検出したらタッチキーＳ３のキー押下の検出を一定時間停止するように制御する。
【００５４】
次に、図７および図８を参照して、本実施の形態の動作について説明する。図７および図８のフローチャートに対応するキー操作制御プログラムは、例えば制御部１０内のメモリ１２に予め設定され、制御部１０内のＣＰＵ１１により実行される。
【００５５】
図７は、表示部２のキー部３近くのエリアＡｉ（ｉ＝１、２、３）のタッチを検出した場合の動作を説明するものである。
【００５６】
図７において、ＣＰＵ１１は、タッチパネル１を介して表示部２上のエリアＡｉ（ｉ＝１、２、３）のタッチを検出した場合（ステップＳ３１：ＹＥＳ）、エリアＡｉに対応するタッチキーＳｉのキー押下処理を停止し（ステップＳ３２）、制御部１０内のタイマ１３に一定時間セットしてタイマ１３を起動させ（ステップＳ３３）、指がタッチパネル１から離されたか否か判断する（ステップＳ３４）。
【００５７】
その結果、指がタッチパネル１から離されていないと判断された場合（ステップＳ３４：ＮＯ）、ＣＰＵ１１は、タイマ１３がセットされた一定時間を計時してタイムアウトしたか否か判断する（ステップＳ３５）。その結果、タイムアウトしていないと判断された場合（ステップＳ３５：ＮＯ）、ＣＰＵ１１は、ステップＳ３４に戻り、同様の処理を繰り返す。
【００５８】
一方、指がタッチパネル１から離されたと判断された場合（ステップＳ３４：ＹＥＳ）、あるいは、タイムアウトしたと判断された場合（ステップＳ３５：ＹＥＳ）、ＣＰＵ１１は、タッチキーＳｉのキー押下処理の停止を解除する（ステップＳ３６）。
【００５９】
図８は、タッチキーＳｉ（ｉ＝１、２、３）のタッチを検出した場合の動作を説明するものである。
【００６０】
図５において、ＣＰＵ１１は、タッチパネル１を介してタッチキーＳｉに指が触れたことを検出した場合（ステップＳ４１：ＹＥＳ）、タッチされたタッチキーＳｉのキー押下として処理せず（ステップＳ４２）、制御部１０内のタイマ１３に一定時間セットしてタイマ１３を起動させ（ステップＳ４３）、タッチキーＳｉに応じて割り当てられたエリアＡｉかエリアＢｉのタッチが検出されたか否か、および指がタッチパネル１から離されたか否か判断する（ステップＳ４４〜Ｓ４６）。
【００６１】
その結果、エリアＡｉかエリアＢｉのタッチが検出されず、（ステップＳ４４：ＮＯ、ステップＳ４５：ＮＯ）、指がタッチパネル１から離されていない場合（ステップＳ４６：ＮＯ）、ＣＰＵ１１は、タイマ１３がセットされた一定時間を計時してタイムアウトしたか否か判断する（ステップＳ４７）。
【００６２】
その結果、タイムアウトしていないと判断された場合（ステップＳ４７：ＮＯ）、ＣＰＵ１１は、ステップＳ４４に戻り、同様の処理を繰り返す。一方、タイムアウトしたと判断された場合（ステップＳ４７：ＹＥＳ）、ＣＰＵ１１は、タッチされたタッチキーＳｉのキー押下として処理する（ステップＳ４８）。
【００６３】
一方、エリアＡｉかエリアＢｉのタッチが検出された場合（ステップＳ４４：ＹＥＳ、ステップＳ４５：ＹＥＳ）、ＣＰＵ１１は、タッチされたタッチキーＳｉのキー押下の処理を行わない（ステップＳ４９）。また、指がタッチパネル１から離された場合（ステップＳ４６：ＹＥＳ）、ＣＰＵ１１は、タッチされたタッチキーＳｉのキー押下として処理する（ステップＳ４８）。
【００６４】
これにより、本実施の形態では、あるエリア（以下、エリアＡ１）に別の指を置いていた場合であっても、そのエリアＡ１に対応するタッチキーＳ１のみ、キー押下を一定時間無効とし、その他のエリアＡ２、Ａ３に対応するタッチキーＳ２、Ｓ３は、キー押下を有効とすることができる。
【００６５】
なお、図６の例では、複数のタッチキー３１のキー数が３つの場合を例示しているが、キー数はこれに限定されず、２つでも４つ以上であってもよく、複数のエリアＡ、Ｂの数もこれにあわせて２つでも４つ以上であってもよい。
【００６６】
また、図７の例では、エリアＡｉのタッチを検出した場合の動作を説明しているが、エリアＢｉのタッチを検出した場合も同様に、一定時間、タッチキーＳｉのキー押下処理を停止するよう制御してもよい。あるいは、エリアＡｉかエリアＢｉのタッチを検出した場合に、一定時間、タッチキーＳｉのキー押下処理を停止するよう制御してもよい。
【００６７】
また、図８の例では、タイマ１３に一定時間セット後、タイムアウトするまでの間に、エリアＡｉかエリアＢｉのタッチを検出したか否か判断する処理（ステップＳ４４、Ｓ４５）と、指がタッチパネル１から離されたか否か判断する処理（ステップＳ４６）とを説明しているが、ステップＳ４６の処理は省略してもよい。
【００６８】
また、上記各実施の形態に係る携帯端末では、タッチパネル１上の表示部２とキー部３との間にエリアＢ（境界エリア）が存在するものを説明しているが、本発明は必ずしもこれに限定されず、変形例として、エリアＢが存在せず、表示部２とキー部３とが直接接しているものにも適用可能である。この場合、エリアＡ（検出エリア）は、キー部３と直接接することになる。
【００６９】
また、上記の携帯端末およびそのキー操作制御方法は、ハードウェア、ソフトウェア又はこれらの組合せにより実現することができる。この場合のハードウェア、ソフトウェア又はこれらの組合せによる構成は特に限定されるものではなく、上述した機能を実現可能なものであれば、いずれの形態でも適用可能である。
【００７０】
上記の実施の形態の一部又は全部は、以下の付記のようにも記載されうるが、以下には限定されない。
【００７１】
（付記１）表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部と、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部とを有することを特徴とする携帯端末。
【００７２】
（付記２）前記制御部は、前記検出エリアに使用者が触れたことを検出した場合に、一定時間が経過するか、又は前記タッチパネルから使用者の触れている部分が離されるまで、前記キー部のキー押下の検出を当該キー押下として処理しないように制御することを特徴とする付記１に記載の携帯端末。
【００７３】
（付記３）前記制御部は、前記キー部に使用者が触れたことを検出した場合、一定時間、当該キー部のキー押下として処理しないようにし、前記一定時間内に前記検出エリア又は前記境界エリアに使用者が触れたことを検出したときに前記キー部のキー押下処理を行わないように制御することを特徴とする付記１又は２に記載の携帯端末。
【００７４】
（付記４）前記キー部には、複数のキーが配置され、前記検出エリアおよび前記境界エリアには、前記複数のキーに応じて複数の検出エリアおよび複数の境界エリアが割り当てられ、前記制御部は、前記タッチパネルを介して前記複数の検出エリアのいずれかに使用者が触れたことを検出した場合、使用者が触れた前記複数の検出エリアのいずれかに応じた前記複数のキーのいずれかのキー押下の検出を当該キー押下として処理しないように制御することを特徴とする付記１から３のいずれかに記載の携帯端末。
【００７５】
（付記５）前記制御部は、前記複数の検出エリアのいずれかに使用者が触れたことを検出した場合に、一定時間が経過するか、又は前記タッチパネルから使用者の触れている部分が離されるまで、使用者が触れた前記複数の検出エリアのいずれかに応じた前記複数のキーのいずれかのキー押下処理を停止するように制御することを特徴とする付記４に記載の携帯端末。
【００７６】
（付記６）前記制御部は、前記複数のキーのいずれかに使用者が触れたことを検出した場合、当該複数のキーのいずれかのキー押下として処理しないようにし、前記一定時間内に前記複数のキーのいずれかに応じた前記複数の検出エリアのいずれか又は前記複数の境界エリアのいずれかに使用者が触れたことを検出したときに前記キー部のキー押下処理を行わないように制御することを特徴とする付記４又は５に記載の携帯端末。
【００７７】
（付記７）前記検出エリアは、前記タッチパネル上で使用者が触れている位置をスライドさせたときに、前記タッチパネルの検出信号を前記制御部に通知する間隔で所定の回数通知可能な範囲に設定されることを特徴とする付記１から６のいずれかに記載の携帯端末。
【００７８】
（付記８）前記表示部と前記キー部とが直接接し、前記検出エリアと前記キー部とが直接接していることを特徴とする付記１に記載の携帯端末。
【００７９】
（付記９）表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、制御部が、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御することを特徴とする携帯端末のキー操作制御方法。
【００８０】
（付記１０）前記制御部が、前記検出エリアに使用者が触れたことを検出した場合に、一定時間が経過するか、又は前記タッチパネルから使用者の触れている部分が離されるまで、前記キー部のキー押下の検出を当該キー押下として処理しないように制御することを特徴とする付記９に記載の携帯端末のキー操作制御方法。
【００８１】
（付記１１）前記制御部が、前記キー部に使用者が触れたことを検出した場合、一定時間、当該キー部のキー押下として処理しないようにし、前記一定時間内に前記検出エリア又は前記境界エリアに使用者が触れたことを検出したときに前記キー部のキー押下処理を行わないように制御することを特徴とする付記９又は１０に記載の携帯端末のキー操作制御方法。
【００８２】
（付記１２）前記キー部には、複数のキーが配置され、前記検出エリアおよび前記境界エリアには、前記複数のキーに応じて複数の検出エリアおよび複数の境界エリアが割り当てられ、前記制御部が、前記タッチパネルを介して前記複数の検出エリアのいずれかに使用者が触れたことを検出した場合、使用者が触れた前記複数の検出エリアのいずれかに応じた前記複数のキーのいずれかのキー押下の検出を当該キー押下として処理しないように制御することを特徴とする付記９から１１のいずれかに記載の携帯端末のキー操作制御方法。
【００８３】
（付記１３）前記制御部が、前記複数の検出エリアのいずれかに使用者が触れたことを検出した場合に、一定時間が経過するか、又は前記タッチパネルから使用者の触れている部分が離されるまで、使用者が触れた前記複数の検出エリアのいずれかに応じた前記複数のキーのいずれかのキー押下処理を停止するように制御することを特徴とする付記１２に記載の携帯端末のキー操作制御方法。
【００８４】
（付記１４）前記制御部が、前記複数のキーのいずれかに使用者が触れたことを検出した場合、当該複数のキーのいずれかのキー押下として処理しないようにし、前記一定時間内に前記複数のキーのいずれかに応じた前記複数の検出エリアのいずれか又は前記複数の境界エリアのいずれかに使用者が触れたことを検出したときに前記キー部のキー押下処理を行わないように制御することを特徴とする付記１２又は１３に記載の携帯端末のキー操作制御方法。
【００８５】
（付記１５）前記検出エリアは、前記タッチパネル上で使用者が触れている位置をスライドさせたときに、前記タッチパネルの検出信号を前記制御部に通知する間隔で所定の回数通知可能な範囲に設定されることを特徴とする付記９から１４のいずれかに記載の携帯端末のキー操作制御方法。
【００８６】
（付記１６）前記表示部と前記キー部とが直接接し、前記検出エリアと前記キー部とが直接接していることを特徴とする付記９に記載の携帯端末のキー操作制御方法。
【００８７】
（付記１７）表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、コンピュータを、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように制御する制御部として機能させることを特徴とする携帯端末のキー操作制御プログラム。
【００８８】
（付記１８）前記制御部は、前記検出エリアに使用者が触れたことを検出した場合に、一定時間が経過するか、又は前記タッチパネルから使用者の触れている部分が離されるまで、前記キー部のキー押下の検出を当該キー押下として処理しないように制御することを特徴とする付記１７に記載の携帯端末のキー操作制御プログラム。
【００８９】
（付記１９）前記制御部は、前記キー部に使用者が触れたことを検出した場合、一定時間、当該キー部のキー押下として処理しないようにし、前記一定時間内に前記検出エリア又は前記境界エリアに使用者が触れたことを検出したときに前記キー部のキー押下処理を行わないように制御することを特徴とする付記１７又は１８に記載の携帯端末のキー操作制御プログラム。
【００９０】
（付記２０）前記キー部には、複数のキーが配置され、前記検出エリアおよび前記境界エリアには、前記複数のキーに応じて複数の検出エリアおよび複数の境界エリアが割り当てられ、前記制御部は、前記タッチパネルを介して前記複数の検出エリアのいずれかに使用者が触れたことを検出した場合、使用者が触れた前記複数の検出エリアのいずれかに応じた前記複数のキーのいずれかのキー押下の検出を当該キー押下として処理しないように制御することを特徴とする付記１７から２０のいずれかに記載の携帯端末のキー操作制御プログラム。
【００９１】
（付記２１）前記制御部は、前記複数の検出エリアのいずれかに使用者が触れたことを検出した場合に、一定時間が経過するか、又は前記タッチパネルから使用者の触れている部分が離されるまで、使用者が触れた前記複数の検出エリアのいずれかに応じた前記複数のキーのいずれかのキー押下処理を停止するように制御することを特徴とする付記１９に記載の携帯端末のキー操作制御プログラム。
【００９２】
（付記２２）前記制御部は、前記複数のキーのいずれかに使用者が触れたことを検出した場合、当該複数のキーのいずれかのキー押下として処理しないようにし、前記一定時間内に前記複数のキーのいずれかに応じた前記複数の検出エリアのいずれか又は前記複数の境界エリアのいずれかに使用者が触れたことを検出したときに前記キー部のキー押下処理を行わないように制御することを特徴とする付記２０又は２１に記載の携帯端末のキー操作制御プログラム。
【００９３】
（付記２３）前記検出エリアは、前記タッチパネル上で使用者が触れている位置をスライドさせたときに、前記タッチパネルの検出信号を前記制御部に通知する間隔で所定の回数通知可能な範囲に設定されることを特徴とする付記１７から２１のいずれかに記載の携帯端末のキー操作制御プログラム。
【００９４】
（付記２４）前記表示部と前記キー部とが直接接し、前記検出エリアと前記キー部とが直接接していることを特徴とする付記１７に記載の携帯端末のキー操作制御プログラム。
【００９５】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００９６】
以上説明したように、本発明は、携帯電話機やＰＨＳ（Personal Handyphone System）などの携帯端末装置であって、タッチパネルを有する端末装置、そのキー操作制御方法およびプログラムの用途に利用可能である。
【符号の説明】
【００９７】
１  タッチパネル
２  表示部
３  キー部
１０  制御部
１１  ＣＰＵ
１２  メモリ
１３  タイマ
２０  無線通信部
３１  タッチキー
１００  携帯端末
１０１  筐体
【図１】
2012248068.tif 000003
【図２】
2012248068.tif 000004
【図３】
2012248068.tif 000005
【図４】
2012248068.tif 000006
【図５】
2012248068.tif 000007
【図６】
2012248068.tif 000008
【図７】
2012248068.tif 000009
【図８】
2012248068.tif 000010
【図９】
2012248068.tif 000011
【手続補正書】
【提出日】平成24年1月16日(2012.1.16)
【手続補正１】
【補正対象書類名】特許請求の範囲
【補正対象項目名】全文
【補正方法】変更
【補正の内容】
【特許請求の範囲】
【請求項１】
表示部と、
前記表示部およびその表示部を延長させた表示部外の部分に配置され、前記表示部およびその表示部外の部分に対して使用者が触れた位置を検出するタッチパネルと、
前記タッチパネルの前記表示部外の部分に配置され、前記タッチパネルを介してキー押下の検出が可能なキー部と、
前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間当該キー部のキー押下として処理しないようにし、前記一定時間内に前記検出エリア、又は前記タッチパネルの前記表示部と前記キー部の間に設定された境界エリアに使用者が触れたことを検出したときに前記キー部のキー押下処理を行わないように第２の制御をする制御部とを有することを特徴とする携帯端末。
【請求項２】
前記制御部は、前記検出エリアに使用者が触れたことを検出した場合に、一定時間が経過するか、又は前記タッチパネルから使用者の触れている部分が離されるまで、前記キー部のキー押下の検出を当該キー押下として処理しないように制御することを特徴とする請求項１に記載の携帯端末。
【請求項３】
前記キー部には、複数のキーが配置され、
前記検出エリアおよび前記境界エリアには、前記複数のキーに応じて複数の検出エリアおよび複数の境界エリアが割り当てられ、
前記制御部は、前記タッチパネルを介して前記複数の検出エリアのいずれかに使用者が触れたことを検出した場合、使用者が触れた前記複数の検出エリアのいずれかに応じた前記複数のキーのいずれかのキー押下の検出を当該キー押下として処理しないように制御することを特徴とする請求項１又は２のいずれかに記載の携帯端末。
【請求項４】
前記制御部は、前記複数の検出エリアのいずれかに使用者が触れたことを検出した場合に、一定時間が経過するか、又は前記タッチパネルから使用者の触れている部分が離されるまで、使用者が触れた前記複数の検出エリアのいずれかに応じた前記複数のキーのいずれかのキー押下処理を停止するように制御することを特徴とする請求項３に記載の携帯端末。
【請求項５】
前記制御部は、前記複数のキーのいずれかに使用者が触れたことを検出した場合、当該複数のキーのいずれかのキー押下として処理しないようにし、前記一定時間内に前記複数のキーのいずれかに応じた前記複数の検出エリアのいずれか又は前記複数の境界エリアのいずれかに使用者が触れたことを検出したときに前記キー部のキー押下処理を行わないように制御することを特徴とする請求項３又は４に記載の携帯端末。
【請求項６】
前記検出エリアは、前記タッチパネル上で使用者が触れている位置をスライドさせたときに、前記タッチパネルの検出信号を前記制御部に通知する間隔で所定の回数通知可能な範囲に設定されることを特徴とする請求項１から５のいずれかに記載の携帯端末。
【請求項７】
表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、
制御部が、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間当該キー部のキー押下として処理しないようにし、前記一定時間内に前記検出エリア、又は前記タッチパネルの前記表示部と前記キー部の間に設定された境界エリアに使用者が触れたことを検出したときに前記キー部のキー押下処理を行わないように第２の制御をすることを特徴とする携帯端末のキー操作制御方法。
【請求項８】
表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、
コンピュータを、
前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間当該キー部のキー押下として処理しないようにし、前記一定時間内に前記検出エリア、又は前記タッチパネルの前記表示部と前記キー部の間に設定された境界エリアに使用者が触れたことを検出したときに前記キー部のキー押下処理を行わないように第２の制御をする制御部として機能させることを特徴とする携帯端末のキー操作制御プログラム。
【手続補正２】
【補正対象書類名】明細書
【補正対象項目名】００１４
【補正方法】変更
【補正の内容】
【００１４】
本発明の第１の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部と、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間、当該キー部のキー押下として処理しないようにし、前記一定時間内に前記検出エリア又は前記タッチパネルの前記表示部と前記キー部の間に設定された境界エリアに使用者が触れたことを検出したときに前記キー部のキー押下処理を行わないように第２の制御をする制御部とを有することを特徴とする携帯端末が提供される。
【手続補正３】
【補正対象書類名】明細書
【補正対象項目名】００１５
【補正方法】変更
【補正の内容】
【００１５】
本発明の第２の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、制御部が、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間、当該キー部のキー押下として処理しないようにし、前記一定時間内に前記検出エリア又は前記タッチパネルの前記表示部と前記キー部の間に設定された境界エリアに使用者が触れたことを検出したときに前記キー部のキー押下処理を行わないように第２の制御をすることを特徴とする携帯端末のキー操作制御方法が提供される。
【手続補正４】
【補正対象書類名】明細書
【補正対象項目名】００１６
【補正方法】変更
【補正の内容】
【００１６】
本発明の第３の観点によれば、表示部と、前記表示部およびその表示部を延長させた表示部外の部分に配置され、前記表示部およびその表示部外の部分に対して使用者が触れた位置を検出するタッチパネルと、前記タッチパネルの前記表示部外の部分に配置され、前記タッチパネルを介してキー押下の検出が可能なキー部とを有する携帯端末のキー操作制御方法であって、コンピュータを、前記タッチパネルを介して前記表示部の前記キー部に近接する部分に設定された検出エリアに使用者が触れたことを検出した場合に、前記キー部に使用者が触れたことを検出しても当該キー部のキー押下として処理しないように第１の制御をし、且つ、前記キー部に使用者が触れたことを検出した場合、一定時間、当該キー部のキー押下として処理しないようにし、前記一定時間内に前記検出エリア又は前記タッチパネルの前記表示部と前記キー部の間に設定された境界エリアに使用者が触れたことを検出したときに前記キー部のキー押下処理を行わないように第２の制御をする制御部として機能させることを特徴とする携帯端末のキー操作制御プログラムが提供される。